(57)【特許請求の範囲】
【請求項１】
身体側表面を形成する液透過性のトップシートと、衣類側表面を形成する液不透過性のバックシートと、前記トップシートと前記バックシートとの間に配置された吸収体とを有するとともに、
前身頃と、後身頃と、これらの間に位置する股下部とを有し、後身頃の幅方向両側部に、一対のサイドフラップが形成された吸収性物品であって、
前記バックシートは、衣類側表面に位置する不織布と、ポリエチレンシートとを張り合わせた複合シートであり、
前記サイドフラップのそれぞれの、自由端側の幅方向側縁部には、サイドパネルが設けられ、
前記サイドパネルのそれぞれの、自由端側の幅方向側縁部には、２つのファスニングテープが設けられ、
２つの前記ファスニングテープは、吸収性物品の長手方向に沿って離間して設けられており、
展開状態において、前記ファスニングテープの身体側表面には、前記前身頃と前記後身頃とを締結するための面ファスナーを構成するフック部材からなる締結手段が設けられるとともに、締結手段の自由端側の各ファスニングテープの先端部には、つまみしろが設けられ、
前記前身頃の衣類側表面には、前記締結手段が固定されるターゲットテープが設られ、
展開状態において、前記ファスニングテープの衣類側表面には、前記不織布に対して剥離可能に係合すると同時に剥離した後も再係合可能な仮止め手段が設けられる、吸収性物品。
【請求項２】
前記吸収性物品の長手方向の長さが６００ｍｍ以上１０００ｍｍ以下であり、幅方向の長さ（左右両サイドフラップ端部間の長さ）が７６０ｍｍ以上１３８０ｍｍ以下である、請求項１に記載の吸収性物品。
【請求項３】
前記仮止め手段が、面ファスナーを構成するフック部材である、請求項１又は２に記載の吸収性物品。
【請求項４】
前記仮止め手段が、ホットメルト接着剤を用いた仮止め手段である、請求項１又は２に記載の吸収性物品。
【請求項５】
前記仮止め手段の面積が、７０ｍｍ２以上４００ｍｍ２以下である、請求項１から４の
いずれかに記載の吸収性物品。
【請求項６】
使い捨て紙おむつである、請求項１から５のいずれかに記載の吸収性物品。
【発明の詳細な説明】
【技術分野】
【０００１】
本発明は、展開したファスニングテープが意図しない部位に再付着することを防止できる、テープ止めタイプの吸収性物品に関する。
【背景技術】
【０００２】
一般に、大人用紙おむつには、テープ止めタイプ、尿取りパッド、パンツタイプ等が存在しており、これらの製品は、着用対象者の排泄における介護の必要度に応じて適宜選択されて用いられている。これらの製品のうちのテープ止めタイプの紙おむつに代表される、テープ止めタイプの吸収性物品は、製品ごとにテープ部分等を折り畳み、長手方向に三つ折り等にした物品を複数積層した状態でポリ袋に収納され、パッケージングされて販売されている。
【０００３】
このようなテープ止めタイプの吸収性物品として、例えば、特許文献１には、後身頃のサイドフラップの両側に固定されたサイドパネルの自由端部が、後身頃と前身頃を締結する締結手段が内側となるよう、サイドパネルの固定端部に第１の接着強度で剥離可能に折曲・固定され、固定端部は、自由端部が内側となるよう、サイドフラップに第２の接着強度で剥離可能に折曲・固定され、かつ第２の接着強度が第１の接着強度よりも大きいことを特徴とする、展開型吸収性物品が開示されている。
【０００４】
また、特許文献２には、前身頃と、後身頃と、前身頃及び後身頃を締結手段により着脱自在に係合するファスナー部材と、を有する紙おむつであって、ファスナー部材が３カ所の折り目により折り畳まれ、第三の折り目よりも自由端側の端部に締結手段及びつまみしろを設けた紙おむつが開示されている。
【０００５】
特許文献３には、サイドフラップと、その先端部に設けられたファスニングテープと、を有する吸収性物品であって、ファスニングテープは、その接合面をサイドフラップの肌側の面に接合されて折り畳まれており、サイドフラップは、最も先端側の第１折線部と第２折線部によって折り畳まれた状態で仮止めされており、肌側から見て、第１折線部は山折り、第２折線部は谷折りであり、サイドフラップが仮止めされた状態で、サイドフラップ先端部及びファスニングテープ先端部が、第１折線部よりも外側に位置していることを特徴とする吸収性物品が開示されている。
【先行技術文献】
【特許文献】
【０００６】
【特許文献１】特開２００４−２９８４５５号公報
【特許文献２】特開２０１３−１４６４８３号公報
【特許文献３】特許第５７４７１３９号公報
【発明の概要】
【発明が解決しようとする課題】
【０００７】
特許文献１から３に記載された吸収性物品のような、テープ止めタイプの吸収性物品を使用する際には、消費者は一製品を収納袋から取り出して展開し、対象者に着用させる。しかしながら、特許文献１から３に記載された吸収性物品に代表されるテープ止めタイプの吸収性物品は、大人用の大型の吸収性物品であるため、ファスニングテープが左右それぞれに２箇所ずつ設けられている上に、ファスニングテープが複数回に亘って折りたたまれてパッケージ等に収納されている。このため、吸収性物品を使用する際に、上記の複数のファスニングテープを展開したとしても、ファスニングテープ部分の折り癖等のために、展開したファスニングテープが、意図しない部位に再付着することがあった。また、着用者が装着している吸収性物品を交換する際にも、前身頃に設けられているターゲットテープからファスニングテープを剥離した際に、ファスニングテープが再付着する問題があることが知られていた。このようなファスニングテープの再付着の問題は、吸収性物品を対象者に着用させる作業や、吸収性物品を交換する作業を煩雑なものとする大きな要因となっていた。
【０００８】
よって、本発明は、後身頃の左右それぞれにサイドパネルを設け、各サイドパネルの自由端側の幅方向側縁部に２つのファスニングテープを配したテープ止めタイプの吸収性物品において、展開したファスニングテープが、意図しない部位に再付着することを防止することができる吸収性物品を提供することを目的とする。
【課題を解決するための手段】
【０００９】
本発明の発明者らは、上記課題を解決する為、鋭意研究を行った。その結果、吸収性物品のバックシートを、衣類側表面に位置する不織布と、ポリエチレンシートとを張り合わせた複合シートとするとともに、展開状態における、ファスニングテープの衣類側表面に、不織布に対して剥離可能に係合する仮止め手段を設けることにより、上記課題を解決できることを見出し、本発明を解決するに至った。具体的には、本発明は以下のものを提供する。
【００１０】
（１）  本発明の第１の態様は、身体側表面を形成する液透過性のトップシートと、衣類側表面を形成する液不透過性のバックシートと、上記トップシートと上記バックシートとの間に配置された吸収体とを有するとともに、前身頃と、後身頃と、これらの間に位置する股下部とを有し、後身頃の幅方向両側部に、一対のサイドフラップが形成された吸収性物品であって、上記バックシートは、衣類側表面に位置する不織布と、ポリエチレンシートとを張り合わせた複合シートであり、上記サイドフラップのそれぞれの、自由端側の幅方向側縁部には、サイドパネルが設けられ、上記サイドパネルのそれぞれの、自由端側の幅方向側縁部には、２つのファスニングテープが設けられ、２つの上記ファスニングテープは、吸収性物品の長手方向に沿って離間して設けられており、展開状態において、上記ファスニングテープの身体側表面には、上記前身頃と上記後身頃とを締結するための面ファスナーを構成するフック部材からなる締結手段が設けられるとともに、締結手段の自由端側の各ファスニングテープの先端部には、つまみしろが設けられ、上記前身頃の衣類側表面には、上記締結手段が固定されるターゲットテープが設けられ、展開状態において、上記ファスニングテープの衣類側表面には、上記不織布に対して剥離可能に係合する仮止め手段が設けられる、吸収性物品である。
【００１１】
（２）  本発明の第２の態様は、（１）に記載の吸収性物品であって、上記吸収性物品の長手方向の長さが６００ｍｍ以上１０００ｍｍ以下であり、幅方向の長さ（左右両サイドフラップ端部間の長さ）が７６０ｍｍ以上１３８０ｍｍ以下であることを特徴とする。
【００１２】
（３）  本発明の第３の態様は、（１）又は（２）に記載の吸収性物品であって、上記仮止め手段が、面ファスナーを構成するフック部材であることを特徴とする。
【００１３】
（４）  本発明の第４の態様は、（１）又は（２）に記載の吸収性物品であって、上記仮止め手段が、ホットメルト接着剤を用いた仮止め手段であることを特徴とする。
【００１４】
（５）  本発明の第５の態様は、（１）から（４）のいずれかに記載の吸収性物品であって、上記仮止め手段の面積が、７０ｍｍ２以上４００ｍｍ２以下であることを特徴とする。
【００１５】
（６）  本発明の第６の態様は、（１）から（５）のいずれかに記載の吸収性物品であって、使い捨て紙おむつであることを特徴とする。
【発明の効果】
【００１６】
本発明においては、吸収性物品のバックシートを、衣類側表面に位置する不織布と、ポリエチレンシートとを張り合わせた複合シートで構成し、展開状態において、ファスニングテープの衣類側表面には、この複合シートを構成する不織布に対して剥離可能に係合する仮止め手段を設けたので、吸収性物品を着用者に装着させる際においてファスニングテープを展開した際や、吸収性物品を交換する際においてファスニングテープを剥離した際等に、ファスニングテープの衣類側表面をバックシートに対向させる形でバックシート表面に係合させることができる。このため、ファスニングテープが折癖などにより、意図しない位置に再付着してしまうことを防止することができる。
【図面の簡単な説明】
【００１７】
【図１】本発明の実施形態に係る吸収性物品を示す図面である。
【図２】サイドパネル及びファスニングテープの拡大図であって、（ａ）衣類側表面から見た図面、（ｂ）身体側表面から見た図面、及び（ｃ）Ａ−Ａ断面図である。
【図３】本発明の吸収性物品を交換する際に、ファスニングテープを仮止めする方法を説明した図面である。
【発明を実施するための形態】
【００１８】
図１及び図２を参照して、本発明の実施形態に係る吸収性物品について詳細に説明する。なお、実施形態の説明は、全体を通して同じ要素には同じ番号を付している。本明細書の説明において、吸収性物品１の着用時とは、吸収性物品１の着用時及び着用後の少なくとも一方をいう。また、吸収性物品１の長手方向とは、吸収性物品１が着用されたときに、前身頃１０Ａと後身頃１０Ｃを結ぶ、着用者の前後にわたる方向であり、図中、符号Ｙで示す方向である。吸収性物品１の幅方向とは、長手方向に対して横又は直交する方向であり、図中、符号Ｘで示す方向である。さらに、身体側表面とは、吸収体等の各部材の表裏両面のうち、着用時に着用者の肌側に配される面であり、衣類側表面とは、バックシート等の各部材の表裏両面のうち、着用時に着用者の肌側とは反対側に向けられる面である。また、体液とは、尿、血液や軟便中の水分等の体内から体外に排出された液体をいう。さらに、本発明の吸収性物品１としては、幼児又は成人用を問わず、テープ止めタイプの使い捨ておむつであることが好ましい。
【００１９】
＜吸収性物品＞
図１は、本発明の一実施形態に係る吸収性物品１を示す展開図であり、トップシート２１側から見たものである。図１に示すように、吸収性物品１は、着用時に着用者の腹部を覆う前身頃１０Ａ、着用者の背部を覆う後身頃１０Ｃ、前身頃１０Ａと後身頃１０Ｃの間に位置し、着用者の股下にあてがわれる股下部１０Ｂとに区分される。
【００２０】
また、図１に示すように、吸収性物品１は、身体側表面側に配された液透過性のトップシート２１、トップシート２１に対向して配置された液不透過性のバックシート２３、及びトップシート２１とバックシート２３との間に配置され、体液を吸収する吸収体２２を備えた構成となっている。
【００２１】
本発明は、長手方向の長さが６００ｍｍ以上１０００ｍｍ以下、幅方向の長さ（左右両サイドフラップ端部間の長さ）が７６０ｍｍ以上１３８０ｍｍ以下である吸収性物品１に適用されることが好ましい。このような吸収性物品１は、その寸法が大きいために、ファスニングテープ２６の寸法も長く、ファスニングテープ２６を展開したり剥離したりした状態において、ファスニングテープ２６が吸収性物品１の意図しない位置に再付着しやすい傾向にある。このため、本発明はそのような大型の吸収性物品に特に好適に適用されるものである。
【００２２】
（トップシート）
トップシート２１は、体液が吸収体２２へと移動するような液透過性を備えた基材を用いればよく、例えば、サーマルボンド不織布等の不織布、サーマルボンド不織布／スパンボンド不織布を積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１は、液透過性を向上させるために、表面にエンボス加工や穿孔加工を施すことが好ましく、エンボス加工や穿孔加工は、従来公知の方法により実施することができる。さらに、トップシート２１の肌への刺激を低減させるために、トップシート２１にローション、酸化防止剤、抗炎症成分、ｐＨ調整剤、抗菌剤、保湿剤等を含有させることも好ましい。トップシート２１の坪量は、強度及び加工性の観点から、１４ｇ／ｍ２以上４０ｇ／ｍ２以下であることが好ましい。トップシート２１の形状は、特に制限されるものではないが、体液を漏れがないように吸収体２２へと誘導するため、吸収体２２を覆う形状であればよい。
【００２３】
（吸収体）
吸収体２２は、体液を吸収、保持するものであり、例えば、フラップパルプや高吸収性樹脂（Ｓｕｐｅｒ  Ａｂｓｏｒｂｅｎｔ  Ｐｏｌｙｍｅｒ；ＳＡＰ）を含有している。吸収体２２の基材は、一般に生理用ナプキン、おむつ、尿取りパッド等の吸収性物品に使用されるものであれば特に制限はなく、例えば、フラッフパルプ、コットン、レーヨン、アセテート、ティシュ、吸収紙、親水性不織布といった材料から形成される。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。また、吸収体２２の基材の坪量は、吸収性能及び肌触りを良好なものとするため、１００ｇ／ｍ２以上８００ｇ／ｍ２以下とすることが好ましい。
【００２４】
吸収体２２のＳＡＰとしては、体液を吸収し、かつ、逆流を防止できるものであれば特に限定されるものではなく、例えば、ポリアクリル酸ナトリウム系、ポリアスパラギン酸塩系、(デンプン−アクリル酸)グラフト共重合体、（アクリル酸−ビニルアルコール)共重合体、（イソブチレン−無水マレイン酸）共重合体及びそのケン化物、といった材料から形成されたものを挙げることができる。これらの中でも、重量当たりの吸収量の観点から、ポリアクリル酸ナトリウム系を使用することが好ましい。吸収体２２のＳＡＰの坪量は、吸収性能及び肌触りを良好なものとする観点から、５０ｇ／ｍ２以上５００ｇ／ｍ２以下とすることが好ましい。
【００２５】
吸収体２２は、基材とＳＡＰとを含有するものが好ましく、その構成は、基材中にＳＡＰ粒子を混合して形成したもの、あるいは、基材間にＳＡＰ粒子を固着したＳＡＰシートが好ましい。また、ＳＡＰ粒子の漏洩防止や吸収体２２の形状安定化の観点から、吸収体２２をキャリアシートに包むことが好ましい。キャリアシートの基材としては、親水性を有するものであればよく、ティシュ、吸収紙、エアレイド不織布等の親水性不織布を挙げることができる。吸収体２２がキャリアシートを複数備える場合には、キャリアシートの基材は同一のものであっても異なるものであってもよい。
【００２６】
吸収体２２の形状としては、特に限定されるものではなく、例えば、矩形状、砂時計状、Ｉ字状等を挙げることができる。吸収体２２は、２層以上を重ねて用いてもよい。
【００２７】
（バックシート）
バックシート２３は、吸収体２２が保持している体液が衣類を濡らすことを防止できるような液不透過性を備えた基材を用いればよいが、本発明においては、ポリエチレンシートと不織布とを張り合わせた複合シートから形成される。この場合、不織布が衣類側表面に位置するように複合シートを配置することが好ましい。バックシート２３がそのような複合シートから形成されることにより、後述するファスニングテープ２６に設けられる仮止め手段３０ａを、バックシート２３表面に剥離可能に係合することができる。
【００２８】
ここで、複合シートに用いることができる不織布としては、特に、その製法を限定されることなく、例えば、スパンボンド不織布やメルトブロー不織布、あるいは、スパンボンド不織布／メルトブロー不織布、スパンボンド不織布／メルトブロー不織布／スパンボンド不織布を積層した複合不織布、及びこれらの複合材料を挙げることができる。
【００２９】
バックシート２３の坪量は、強度及び加工性の観点から、１０ｇ／ｍ２以上４０ｇ／ｍ２以下であることが好ましい。また、装着時の蒸れを防止するため、バックシート２３は、通気性を持たせることが好ましい。バックシート２３に通気性を備えさせるためには、例えば、ポリエチレンフィルムにフィラーを配合したり、バックシート２３にエンボス加工を施したりすればよい。ここで、フィラーとしては、炭酸カルシウムを挙げることができ、その加工方法としては、公知の方法を制限なく利用することができる。
【００３０】
本発明においては、液拡散性シートをトップシート２１の衣類側表面側に設けてもよい。この場合、体液は、まずトップシート２１を通って吸収体２２へ順次拡散し、吸収体２２により吸収される。ここで、体液が吸収体２２に吸収された後、前後左右に素早く拡散していくことが好ましいが、トップシート２１の下に液拡散性シートを設けて拡散を促進することにより、体液を広く吸収体２２の全体に移動させ、効率よく吸収させることができる。
【００３１】
液拡散性シートは、０．１ｍｍ以上の厚さ及び１８ｇ／ｍ２以上の目付けを有する親水性不織布であり、例えば、ポリプロピレン、ポリエチレン、ポリエステル等の合成繊維系からなるエアースルー不織布、ポイントボンド不織布、スパンボンド不織布を使用することができる。これらの中でも特に、液戻り防止性能に優れるエアースルー不織布が好適である。
【００３２】
さらに、図１に示すように、吸収性物品１は、着用者のフィット性を向上させるために、立体ギャザー用弾性部材３２ａを有する立体ギャザー、レッグギャザー用弾性部材３２ｂを有するレッグギャザー、ウエストギャザー用弾性部材３２ｃを有するウエストギャザーを備えていてもよい。レッグギャザー、ウエストギャザーを有することにより、吸収性物品１の脚部開口部、胴部に伸縮性を持たせて、着用時のフィット感を高めて体液が外部に漏れ出ることを防止し、立体ギャザーを有することにより横漏れを防止する。
【００３３】
（サイドフラップ及びサイドパネル）
吸収性物品１の後身頃１０Ｃの幅方向両側部には、少なくとも一対のサイドフラップ２４が形成されており、サイドフラップ２４それぞれの、自由端側の幅方向側縁部にはサイドパネル２５が、サイドパネル２５の自由端側の幅方向側縁部には２つのファスニングテープ２６が設けられている。なお、本明細書の説明においては、サイドパネル２５とファスニングテープ２６とが別々の部材として説明されているが、サイドパネル２５及びファスニングテープ２６は、別々の部材により形成されたものに限定されず、両者が一体となって形成されたものであってもよい。ここで、片方のサイドパネル２５上の２つのファスニングテープ２６は、吸収性物品１の長手方向に沿って離間して設けられており、展開状態において、ファスニングテープ２６の身体側表面（肌当接面）には、前身頃１０Ａと後身頃１０Ｃとを締結するための面ファスナーを構成するフック部材からなる締結手段３０が設けられるとともに、締結手段３０の自由端側の各ファスニングテープ２６の先端部には、つまみしろ２７が設けられている。一方、前身頃１０Ａの衣類側表面であるバックシート２３表面には、面ファスナーを構成するループ部材で形成されたターゲットテープ３１が設けられており、吸収性物品１を着用者に装着した状態では、締結手段３０がループ部材であるターゲットテープ３１に固定される。なお、フック部材とは、面ファスナーを構成する部材のうち、フック状に立体成型若しくは起毛された部材を指し、ループ部材とは、フック部材と対を成す部材であって、ループ状に密集して起毛された部材を指す。面ファスナーは、このフック部材とループ部材とが対となって構成されている。吸収性物品１を着用する場合、後身頃１０Ｃを着用者の背部にあてた状態で、前身頃１０Ａを着用者の腹部側に持っていき、ファスニングテープ２６をターゲットテープ３１に締結することで、着用者に装着させることができる。
【００３４】
なお、サイドフラップ２４の基材としては、ポリエチレン、ポリオレフィン、ポリスチレン等からなる不織布を挙げることができ、これらの基材を単独で、あるいは複数組み合わせてもよい。また、サイドパネル２５及びファスニングテープ２６の基材としては、ポリエチレン、ポリオレフィン、ポリスチレン等からなる樹脂フィルムや不織布を挙げることができ、これらの基材を単独で、あるいは複数組み合わせてもよい。
【００３５】
図２は、サイドパネル２５及びファスニングテープ２６の拡大図であって、（ａ）衣類側表面から見た図面、（ｂ）身体側表面から見た図面、及び（ｃ）Ａ−Ａ断面図である。図３は、本発明の吸収性物品１を交換する際に、ファスニングテープ２６を仮止めする方法を説明した図面である。本発明においては、吸収性物品１の展開状態における、ファスニングテープ２６の衣類側表面に、バックシート２３表面の不織布に対して剥離可能に係合する仮止め手段３０ａが設けられている（図２（ａ））。この仮止め手段３０ａが設けられていることにより、吸収性物品１の装着時に展開したファスニングテープ２６や、吸収性物品１の交換時にターゲットテープ３１から剥離したファスニングテープ２６をバックシート２３の表面に一時的に固定することができ（図３）、ファスニングテープ２６の締結手段３０等が、吸収性物品１の意図しない位置に再付着することを防止することができる。具体的には、例えば、吸収性物品１を装着する際には、吸収性物品１を展開し、ファスニングテープ２６を展開した後に、ファスニングテープ２６の仮止め手段３０ａをバックシート２３に着脱可能に係合し、この状態で、後身頃１０Ｃを着用者の背部にあてるとともに、前身頃１０Ａを着用者の腹部側に持っていき、その後、ファスニングテープ２６をバックシート２３から剥離して、ファスニングテープ２６をターゲットテープ３１に締結することで、着用者に装着させることができる。また、吸収性物品１を交換する際には、ターゲットテープ３１からファスニングテープ２６を剥離する度に、剥離したファスニングテープ２６をバックシート２３に係合させればよい（図３）。このようにすることにより、図３中矢印で示すような、ファスニングテープ２６の再付着を防止することができる。
【００３６】
本発明においては、仮止め手段３０ａは、面ファスナーを構成するフック部材であってもよく、ホットメルト接着剤を用いた仮止め手段であってもよい。ここで、ホットメルト接着剤を用いた仮止め手段３０ａを採用する場合、使用可能なホットメルト接着剤としては、吸収性物品において一般的に用いられるホットメルト接着剤であれば特に限定はなく、例えば、ＳＩＳ（スチレン／イソプレン／スチレンブロック共重合体）系ホットメルト接着剤、ＳＢＳ（スチレン／ブタジエン／スチレンブロック共重合体）系ホットメルト接着剤、ＳＥＢＳ（スチレン／エチレン／ブチレン／スチレンブロック共重合体）系ホットメルト接着剤等を挙げることができる。また、ホットメルト接着剤の塗布量は、ファスニングテープ２６をバックシート２３に着脱可能に係合可能な範囲で、適宜設定することができる。
【００３７】
なお、仮止め手段３０ａとして、フック部材を用いる場合であっても、ホットメルト接着剤を用いた仮止手段を用いる場合であっても、仮止め手段３０ａの面積は、７０ｍｍ２以上４００ｍｍ２以下とすることが好ましい。仮止め手段３０ａの面積を以上のように設定することにより、ファスニングテープ２６のバックシート２３への仮止めを確実なものとしつつも、バックシート２３からのファスニングテープ２６の剥離が容易なものとなるとともに、ファスニングテープ２６の仮止め手段３０ａが意図しない部位に付着することも防止することができる。
【００３８】
＜吸収性物品の製造方法＞
吸収性物品１の製造方法としては、特に限定はなく、従来公知の方法を採用することができ、例えば、トップシート２１とバックシート２３との間に吸収体２２を挟持し、さらに、サイドフラップ２４、サイドパネル２５、ファスニングテープ２６、及びターゲットテープ３１、加えて適宜液拡散性シートや立体ギャザーを配置した後、トップシート２１とバックシート２３とを一部あるいは全周にわたってホットメルト接着剤やヒートエンボス、超音波エンボス、高周波エンボス等を用いて固定することで製造することができる。なお、ファスニングテープ２６は、あらかじめ、これを構成する基材に締結手段３０や仮止め手段３０ａを接着し、所定のファスニグテープ形状に切断して、ファスニングテープ２６が接合又は一体形成されたサイドパネル２５を吸収性物品１に接合することが好ましい。吸収性物品１をパッケージ等に収納するに当たっては、ファスニングテープ２６を折り曲げて、吸収性物品１の所定位置に着脱可能に係合するとともに、吸収性物品１を長手方向Ｙに三つ折にする等して折りたためばよい。
【００３９】
以上、本発明を実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４０】
１      吸収性物品
１０Ａ  前身頃
１０Ｂ  股下部
１０Ｃ  後身頃
２１    トップシート
２２    吸収体
２３    バックシート
２４    サイドフラップ
２５    サイドパネル
２６    ファスニングテープ
２７    つまみしろ
３０    締結手段
３０ａ  仮止め手段
３１    ターゲットテープ
３２ａ  立体ギャザー用弾性部材
３２ｂ  レッグギャザー用弾性部材
３２ｃ  ウエストギャザー用弾性部材
【図１】
0006596705.tif 000002
【図２】
0006596705.tif 000003
【図３】
0006596705.tif 000004